(57)【要約】【課題】ファックス送信装置がファックス受信装置にファックスデータを送信するときの処理負担を軽減することができる技術を提供することを目的とする。【解決手段】クライアント端末１１は、ファックス受信装置がＰＤＬデータを印刷出力できるかどうかについての印刷出力情報を、情報登録部１１Ｒにおいて登録している。ファックス受信装置がＰＤＬデータを印刷出力できると判断したときには、クライアント端末１１はファックス送信装置１２に対して、ＰＤＬデータをイメージデータに変換しないように要求することができる。これにより、ファックス送信装置１２が印刷出力情報について独自に判断する必要はなくなるため、ファックス送信装置１２はファックス送信に伴う処理負担を軽減することができる。【選択図】図１
2008269040.tif 000002
【特許請求の範囲】
【請求項１】
ファックス送信装置に対してファックス送信要求をするクライアント端末であって、
前記ファックス送信装置がファックス送信をする宛先であるファックス受信装置が、ページ記述言語で記載されたデータを印刷出力することができるかどうかについての印刷出力情報を、自端末において登録する情報登録手段と、
前記ファックス受信装置がページ記述言語で記載されたデータを印刷出力することができる場合には、ファックス送信に係るページ記述言語で記載されたデータについて、イメージデータに変換しないように、前記ファックス送信装置に対して要求する手段と、
前記ファックス受信装置がページ記述言語で記載されたデータを印刷出力することができない場合には、ファックス送信に係るページ記述言語で記載されたデータについて、イメージデータに変換するように、前記ファックス送信装置に対して要求する手段と、
を備えることを特徴とするクライアント端末。
【請求項２】
請求項１に記載のクライアント端末において、
前記情報登録手段は、
前記印刷出力情報を前記ファックス受信装置から取得することにより、前記印刷出力情報を自端末において登録する手段、
を含むことを特徴とするクライアント端末。
【請求項３】
ファックス送信装置に対してファックス送信要求をするクライアント端末にインストールされることにより、前記クライアント端末を、
前記ファックス送信装置がファックス送信をする宛先であるファックス受信装置が、ページ記述言語で記載されたデータを印刷出力することができるかどうかについての印刷出力情報を、自端末において登録する情報登録手段と、
前記ファックス受信装置がページ記述言語で記載されたデータを印刷出力することができる場合には、ファックス送信に係るページ記述言語で記載されたデータについて、イメージデータに変換しないように、前記ファックス送信装置に対して要求する手段と、
前記ファックス受信装置がページ記述言語で記載されたデータを印刷出力することができない場合には、ファックス送信に係るページ記述言語で記載されたデータについて、イメージデータに変換するように、前記ファックス送信装置に対して要求する手段と、
として機能させることを特徴とするドライバプログラム。
【請求項４】
請求項３に記載のドライバプログラムにおいて、
前記情報登録手段は、
前記印刷出力情報を前記ファックス受信装置から取得することにより、前記印刷出力情報を自端末において登録する手段、
を含むことを特徴とするドライバプログラム。
【発明の詳細な説明】
【技術分野】
【０００１】
本発明は、ファックス送信装置がファックス受信装置にファックスデータを送信するときの処理負担を軽減することができる技術に関する。
【背景技術】
【０００２】
クライアント端末がファックス送信装置にファックス送信要求をすると、ファックス送信装置がファックス受信装置にファックスデータを送信するファックスシステムがある。クライアント端末がファックス送信装置にページ記述言語で記載されたデータ（ＰＤＬデータ）を送信すると、ファックス送信装置はファックス受信装置がＰＤＬデータを印刷出力できるかどうかを判断する。
【０００３】
ファックス受信装置がＰＤＬデータを印刷出力できると判断したときには、ファックス送信装置はＰＤＬデータをイメージデータに変換しないで、ファックス受信装置にＰＤＬデータを送信する。
【０００４】
ファックス受信装置がＰＤＬデータを印刷出力できないと判断したときには、ファックス送信装置はＰＤＬデータをイメージデータに変換して、ファックス受信装置にイメージデータを送信する。
【０００５】
そのため、ファックス受信装置がＰＤＬデータを印刷出力できるときにも、データサイズがＰＤＬデータよりも大きいイメージデータがファックス送信されることはなくなるのである。
【０００６】
以上で説明したようなファックスシステムについて開示している特許文献として、以下の特許文献をあげることができる。
【０００７】
【特許文献１】特開２００５−２７７８９２号公報
【発明の開示】
【発明が解決しようとする課題】
【０００８】
しかし、大規模な事務所などにおいて、ファックス送信装置が多くのクライアント端末を伴い、それらのクライアント端末が並行してファックス送信装置にファックス送信要求をする場合が考えられる。
【０００９】
この場合には、それらのクライアント端末は、それぞれファックス受信装置を指定している。そのため、それらのファックス受信装置がＰＤＬデータを印刷出力できるかどうかを判断するために、ファックス送信装置は負担を強いられている。
【００１０】
そこで、本発明は前記問題点に鑑み、ファックス送信装置がファックス受信装置にファックスデータを送信するときの処理負担を軽減することができる技術を提供することを目的とする。
【課題を解決するための手段】
【００１１】
上記課題を解決するため、請求項１記載の発明は、ファックス送信装置に対してファックス送信要求をするクライアント端末であって、前記ファックス送信装置がファックス送信をする宛先であるファックス受信装置が、ページ記述言語で記載されたデータを印刷出力することができるかどうかについての印刷出力情報を、自端末において登録する情報登録手段と、前記ファックス受信装置がページ記述言語で記載されたデータを印刷出力することができる場合には、ファックス送信に係るページ記述言語で記載されたデータについて、イメージデータに変換しないように、前記ファックス送信装置に対して要求する手段と、前記ファックス受信装置がページ記述言語で記載されたデータを印刷出力することができない場合には、ファックス送信に係るページ記述言語で記載されたデータについて、イメージデータに変換するように、前記ファックス送信装置に対して要求する手段と、を備えることを特徴とする。
【００１２】
請求項２記載の発明は、請求項１に記載のクライアント端末において、前記情報登録手段は、前記印刷出力情報を前記ファックス受信装置から取得することにより、前記印刷出力情報を自端末において登録する手段、を含むことを特徴とする。
【００１３】
請求項３記載の発明は、ドライバプログラムであって、ファックス送信装置に対してファックス送信要求をするクライアント端末にインストールされることにより、前記クライアント端末を、前記ファックス送信装置がファックス送信をする宛先であるファックス受信装置が、ページ記述言語で記載されたデータを印刷出力することができるかどうかについての印刷出力情報を、自端末において登録する情報登録手段と、前記ファックス受信装置がページ記述言語で記載されたデータを印刷出力することができる場合には、ファックス送信に係るページ記述言語で記載されたデータについて、イメージデータに変換しないように、前記ファックス送信装置に対して要求する手段と、前記ファックス受信装置がページ記述言語で記載されたデータを印刷出力することができない場合には、ファックス送信に係るページ記述言語で記載されたデータについて、イメージデータに変換するように、前記ファックス送信装置に対して要求する手段と、として機能させることを特徴とする。
【００１４】
請求項４記載の発明は、請求項３に記載のドライバプログラムにおいて、前記情報登録手段は、前記印刷出力情報を前記ファックス受信装置から取得することにより、前記印刷出力情報を自端末において登録する手段、を含むことを特徴とする。
【発明の効果】
【００１５】
本発明に係るクライアント端末は、ファックス受信装置がＰＤＬデータを印刷出力できるかどうかについての印刷出力情報を、自端末において登録することができる。
【００１６】
ファックス受信装置がＰＤＬデータを印刷出力できると判断したときには、クライアント端末はファックス送信装置に対して、ＰＤＬデータをイメージデータに変換しないように要求することができる。
【００１７】
ファックス受信装置がＰＤＬデータを印刷出力できないと判断したときには、クライアント端末はファックス送信装置に対して、ＰＤＬデータをイメージデータに変換するように要求することができる。
【００１８】
以上で説明したことにより、ファックス受信装置がＰＤＬデータを印刷出力できるかどうかを、ファックス送信装置が判断する必要性はなくなる。そのため、ファックス送信装置がファックス受信装置にファックスデータを送信するときの処理負担を軽減することができる。
【発明を実施するための最良の形態】
【００１９】
以下、図面を参照しつつ、本発明の実施の形態について説明する。図１は、本実施の形態に係るファックスシステムを示す図である。図１で示したファックスシステムは、インターネット４を備えるインターネットファックスシステムである。しかし、ファックスシステムは、電話回線を備える通常のファックスシステムであってもよい。
【００２０】
図１で示したファックスシステムは、ＬＡＮ１、ファックス受信装置２２、３２、インターネット４などから構成されている。ＬＡＮ１には、クライアント端末１１、ファックス送信装置１２などが接続されている。しかし、クライアント端末１１、ファックス送信装置１２は、必ずしも同一ＬＡＮ１内に配置されていなくてもよい。
【００２１】
クライアント端末１１は、ファックス送信装置１２にファックス送信要求をする。クライアント端末１１として、たとえばパーソナルコンピュータなどがあげられる。ＬＡＮ１に接続されるクライアント端末の個数は任意である。
【００２２】
ファックス送信装置１２は、クライアント端末１１からファックス送信要求を受信して、ファックス受信装置２２、３２にファックス送信をする。ファックス送信装置１２として、たとえばファックス送信機能などを備えるデジタル複合機などがあげられる。
【００２３】
ファックス受信装置２２、３２は、ファックス送信装置１２からファックス受信をして、ファックスデータを印刷出力する。ファックス受信装置２２、３２として、たとえばファックス受信機能などを備えるデジタル複合機などがあげられる。
【００２４】
クライアント端末１１は、ファックスドライバ１１Ｆ、情報登録部１１Ｒなどから構成されている。
【００２５】
ファックスドライバ１１Ｆは、クライアント端末１１がファックス送信装置１２にファックス送信要求をするためのプログラムである。また、ファックスドライバ１１Ｆは、クライアント端末１１が自端末において宛先情報および印刷出力情報を登録するためのプログラムでもある。
【００２６】
情報登録部１１Ｒは、クライアント端末１１が自端末において登録する宛先情報および印刷出力情報を格納する記憶領域である。
【００２７】
ここで、宛先情報は、ファックス送信先の名称およびＩＰアドレスなどについての情報である。また、印刷出力情報は、ファックス送信先がページ記述言語で記載されたデータ（ＰＤＬデータ）を印刷出力できるかどうかについての情報である。クライアント端末１１は、ファックス送信先がＰＤＬデータを印刷出力できるかどうかにかかわらず、通常はファックス送信装置１２にＰＤＬデータを送信する。また、クライアント端末１１は、ファックス送信装置１２にファックス送信先の印刷出力情報について通知する。
【００２８】
ファックス送信装置１２は、印刷出力情報受信部１２Ｒ、データ変換部１２Ｔなどから構成されている。
【００２９】
印刷出力情報受信部１２Ｒは、クライアント端末１１からＰＤＬデータを受信する。また、印刷出力情報受信部１２Ｒは、クライアント端末１１からファックス送信先の印刷出力情報について通知を受ける。
【００３０】
印刷出力情報受信部１２Ｒは、ファックス送信先がＰＤＬデータを印刷出力できる旨の通知を受けたときには、ＰＤＬデータをイメージデータに変換しないようにデータ変換部１２Ｔに通知する。また、印刷出力情報受信部１２Ｒは、データ変換部１２ＴにＰＤＬデータを出力する。
【００３１】
印刷出力情報受信部１２Ｒは、ファックス送信先がＰＤＬデータを印刷出力できない旨の通知を受けたときには、ＰＤＬデータをイメージデータに変換するようにデータ変換部１２Ｔに通知する。また、印刷出力情報受信部１２Ｒは、データ変換部１２ＴにＰＤＬデータを出力する。
【００３２】
データ変換部１２Ｔは、印刷出力情報受信部１２ＲからＰＤＬデータを入力する。また、データ変換部１２Ｔは、印刷出力情報受信部１２ＲからＰＤＬデータを変換すべきかどうかについて通知を受ける。
【００３３】
データ変換部１２Ｔは、ＰＤＬデータを変換しないように通知を受けたときには、ＰＤＬデータをイメージデータに変換せずに、ＰＤＬデータをファックス送信先に送信する。
【００３４】
データ変換部１２Ｔは、ＰＤＬデータを変換するように通知を受けたときには、ＰＤＬデータをイメージデータに変換して、イメージデータをファックス送信先に送信する。
【００３５】
ファックス受信装置２２は、データ変換部２２Ｔ、印刷出力部２２Ｐなどから構成されている。また、ファックス受信装置３２は、印刷出力部３２Ｐなどから構成されている。
【００３６】
データ変換部２２Ｔは、ファックス送信装置１２からＰＤＬデータを受信して、印刷出力部２２Ｐが印刷出力できるイメージデータに変換する。そして、データ変換部２２Ｔは、印刷出力部２２Ｐにイメージデータを出力する。印刷出力部２２Ｐは、データ変換部２２Ｔからイメージデータを入力して、イメージデータを印刷出力する。
【００３７】
ファックス受信装置３２は、データ変換部２２Ｔに相当するデータ変換部を備えていない。すなわち、ファックス受信装置３２は、ファックス送信装置１２からＰＤＬデータを受信して、印刷出力部３２Ｐが印刷出力できるイメージデータに変換することができない。印刷出力部３２Ｐは、ファックス送信装置１２からイメージデータを受信して、イメージデータを印刷出力する。
【００３８】
次に、ユーザがクライアント端末１１において宛先情報および印刷出力情報を登録する方法について、図２および図３を用いて説明する。
【００３９】
図２および図３は、宛先情報および印刷出力情報を登録するためのウィンドウを示す図である。ユーザは、クライアント端末１１においてファックスドライバ１１Ｆを起動することにより、「ファックスドライバ−宛先登録」と記載されたドライバウィンドウ１１Ｆ−Ｒを、クライアント端末１１の表示部において表示させる。
【００４０】
ドライバウィンドウ１１Ｆ−Ｒは、ユーザが宛先情報を登録する手段として、宛先名入力ボックス１１Ｆ−Ｒ−Ａ、ＩＰアドレス入力ボックス１１Ｆ−Ｒ−Ｉ、登録ボタン１１Ｆ−Ｒ−Ｒなどを備えている。
【００４１】
また、ドライバウィンドウ１１Ｆ−Ｒは、ユーザが印刷出力情報を登録する手段として、印刷出力情報入力チェックボックス１１Ｆ−Ｒ−Ｃ、印刷出力情報調査ボタン１１Ｆ−Ｒ−Ｓ、登録ボタン１１Ｆ−Ｒ−Ｒなどを備えている。
【００４２】
図２においては、ユーザは、宛先名入力ボックス１１Ｆ−Ｒ−Ａに、「ファックス受信装置２２」を入力している。また、ユーザは、ＩＰアドレス入力ボックス１１Ｆ−Ｒ−Ｉに、ファックス受信装置２２のＩＰアドレスを入力している。
【００４３】
図３においては、ユーザは、宛先名入力ボックス１１Ｆ−Ｒ−Ａに、「ファックス受信装置３２」を入力している。また、ユーザは、ＩＰアドレス入力ボックス１１Ｆ−Ｒ−Ｉに、ファックス受信装置３２のＩＰアドレスを入力している。
【００４４】
本実施の形態においては、ドライバウィンドウ１１Ｆ−Ｒは、ＩＰアドレス入力ボックス１１Ｆ−Ｒ−Ｉを備えている。しかし、ドライバウィンドウ１１Ｆ−Ｒは、電子メールアドレス入力ボックス、または、ファックス番号入力ボックスなどを備えていてもよい。
【００４５】
図２においては、ファックス受信装置２２は、ＰＤＬデータをイメージデータに変換するデータ変換部２２Ｔを備えており、ＰＤＬデータに対応できるため、ユーザは印刷出力情報入力チェックボックス１１Ｆ−Ｒ−Ｃにチェックを入れている。
【００４６】
図３においては、ファックス受信装置３２は、ＰＤＬデータをイメージデータに変換するデータ変換部を備えておらず、ＰＤＬデータに対応できないため、ユーザは印刷出力情報入力チェックボックス１１Ｆ−Ｒ−Ｃにチェックを入れていない。
【００４７】
ここで、ユーザが印刷出力情報入力チェックボックス１１Ｆ−Ｒ−Ｃにチェックを入れるかどうかを決定することに代えて、ユーザはファックス受信装置２２、３２の印刷出力情報を自動的に取得することもできる。ユーザが印刷出力情報を自動的に取得する方法について、以下に説明する。
【００４８】
図２および図３において、ユーザは、印刷出力情報調査ボタン１１Ｆ−Ｒ−Ｓをクリックする。そして、クライアント端末１１は、ファックス受信装置２２、３２にアクセスすることにより、ファックス受信装置２２、３２の印刷出力情報を取得することができる。
【００４９】
たとえば、クライアント端末１１は、インターネット４を介して、インターネット・プリンティング・プロトコル（ＩＰＰ）を利用することにより、ＩＰアドレス入力ボックス１１Ｆ−Ｒ−Ｉに入力されたＩＰアドレスに基づいて、ファックス受信装置２２、３２にアクセスすることができる。
【００５０】
そして、クライアント端末１１は、ファックス受信装置２２、３２の印刷出力情報を取得して、ドライバウィンドウ１１Ｆ−Ｒにおいて、印刷出力情報入力チェックボックス１１Ｆ−Ｒ−Ｃにチェックを入れるかどうかを決定することができる。そのため、ユーザは印刷出力情報を自動的に取得することができるのである。
【００５１】
図２および図３において、ユーザは、登録ボタン１１Ｆ−Ｒ−Ｒをクリックする。そして、ユーザは、図２および図３で示した宛先情報および印刷出力情報を、情報登録部１１Ｒにおいて登録することができる。
【００５２】
次に、ユーザがクライアント端末１１においてファックス送信を行なう処理の流れについて、図１および図４を用いて説明する。
【００５３】
図４は、ファックス送信を行なうためのウィンドウを示す図である。ユーザは、クライアント端末１１においてファックスドライバ１１Ｆを起動することにより、「ファックスドライバ−宛先送信」と記載されたドライバウィンドウ１１Ｆ−Ｓを、クライアント端末１１の表示部において表示させる。
【００５４】
ドライバウィンドウ１１Ｆ−Ｓは、宛先情報表１１Ｆ−Ｓ−ＡＲ、宛先指定表１１Ｆ−Ｓ−ＡＮ、宛先指定ボタン１１Ｆ−Ｓ−Ｎ、宛先送信ボタン１１Ｆ−Ｓ−Ｓなどを備えている。宛先情報表１１Ｆ−Ｓ−ＡＲは、宛先指定チェックボックス１１Ｆ−Ｓ−Ｃなどを備えている。
【００５５】
図２および図３を用いて説明した方法により、ファックス受信装置２２、３２の宛先情報が、情報登録部１１Ｒにおいて登録されている。そのため、「ファックス受信装置２２」、「ファックス受信装置３２」が、宛先情報表１１Ｆ−Ｓ−ＡＲに記載されている。
【００５６】
ユーザは、ファックス受信装置２２、３２にファックス送信を行なうために、ファックス受信装置２２、３２に対応する宛先指定チェックボックス１１Ｆ−Ｓ−Ｃにともにチェックを入れている。そして、ユーザは、宛先指定ボタン１１Ｆ−Ｓ−Ｎをクリックする。これにより、「ファックス受信装置２２」、「ファックス受信装置３２」が、宛先指定表１１Ｆ−Ｓ−ＡＮに記載されることになる。
【００５７】
図２および図３を用いて説明した方法により、ファックス受信装置２２、３２の印刷出力情報が、情報登録部１１Ｒにおいて登録されている。そのため、ファックス受信装置２２、３２の印刷出力情報が、宛先指定表１１Ｆ−Ｓ−ＡＮに記載されている。すなわち、ファックス受信装置２２については、「ＰＤＬ送信可」が記載されている。また、ファックス受信装置３２については、「ＰＤＬ送信不可」が記載されている。
【００５８】
ユーザは、ファックスデータを特定して、宛先送信ボタン１１Ｆ−Ｓ−Ｓをクリックする。これにより、ユーザが特定したファックスデータが、ファックス受信装置２２、３２にファックス送信されることになる。
【００５９】
クライアント端末１１は、ファックス送信装置１２にファックス送信要求をする。また、クライアント端末１１は、ファックス送信装置１２にユーザが特定したファックスデータを送信する。さらに、クライアント端末１１は、ファックス送信装置１２にファックス受信装置２２、３２の印刷出力情報について通知する。
【００６０】
ここで、クライアント端末１１がファックス送信装置１２に送信するファックスデータは、ファックス送信先がＰＤＬデータを印刷出力することができるかどうかにかかわらず、ＰＤＬデータＤ１である。
【００６１】
印刷出力情報受信部１２Ｒは、クライアント端末１１からＰＤＬデータＤ１を受信する。また、印刷出力情報受信部１２Ｒは、クライアント端末１１からファックス受信装置２２、３２の印刷出力情報について通知を受ける。この後の処理の流れについては、ファックス受信装置２２、３２への２系統のファックス送信について、以下に分けて説明する。
【００６２】
まず、ファックス受信装置２２へのファックス送信について説明する。印刷出力情報受信部１２Ｒは、ファックス受信装置２２がＰＤＬデータを印刷出力できる旨の通知を受けている。そのため、印刷出力情報通知部１２Ｒは、ＰＤＬデータＤ１をイメージデータに変換しないように、データ変換部１２Ｔに通知する。また、印刷出力情報受信部１２Ｒは、データ変換部１２ＴにＰＤＬデータＤ１を出力する。
【００６３】
データ変換部１２Ｔは、印刷出力情報受信部１２ＲからＰＤＬデータＤ１を入力する。そして、データ変換部１２Ｔは、印刷出力情報受信部１２Ｒからの通知を受けて、ＰＤＬデータＤ１をイメージデータに変換せずに、ファックス受信装置２２にＰＤＬデータＤ２を送信する。本実施の形態においては、ファックス送信装置１２は、ＳＭＴＰを利用することにより、ファックス受信装置２２にＰＤＬデータＤ２を送信する。ＰＤＬデータＤ１およびＰＤＬデータＤ２は、同一ＰＤＬデータである。
【００６４】
データ変換部２２Ｔは、ファックス送信装置１２からＰＤＬデータＤ２を受信する。そして、データ変換部２２Ｔは、ＰＤＬデータＤ２を印刷出力部２２Ｐが印刷出力できるイメージデータに変換して、印刷出力部２２Ｐにイメージデータを出力する。印刷出力部２２Ｐは、データ変換部２２Ｔからイメージデータを入力して印刷出力する。
【００６５】
次に、ファックス受信装置３２へのファックス送信について説明する。印刷出力情報受信部１２Ｒは、ファックス受信装置３２がＰＤＬデータを印刷出力できない旨の通知を受けている。そのため、印刷出力情報通知部１２Ｒは、ＰＤＬデータＤ１をイメージデータに変換するように、データ変換部１２Ｔに通知する。また、印刷出力情報受信部１２Ｒは、データ変換部１２ＴにＰＤＬデータＤ１を出力する。
【００６６】
データ変換部１２Ｔは、印刷出力情報受信部１２ＲからＰＤＬデータＤ１を入力する。そして、データ変換部１２Ｔは、印刷出力情報受信部１２Ｒからの通知を受けて、ＰＤＬデータＤ１をＴＩＦＦデータＤ３に変換して、ファックス受信装置３２にＴＩＦＦデータＤ３を送信する。本実施の形態においては、ファックス送信装置１２は、ＳＭＴＰを利用することにより、ファックス受信装置３２にＴＩＦＦデータＤ３を送信する。データ変換部１２ＴがＰＤＬデータＤ１を他種類のイメージデータに変換するようにしてもよい。印刷出力部３２Ｐは、ファックス送信装置１２からＴＩＦＦデータＤ３を受信して印刷出力する。
【００６７】
本発明の効果は、以下のような場合に、特に顕著に現われる。すなわち、大規模な事務所などにおいて、ファックス送信装置が多くのクライアント端末を伴い、個々のクライアント端末が並行してファックス送信装置にファックス送信要求をするような場合である。
【００６８】
しかし、個々のクライアント端末は、個々のファックス送信先の印刷出力情報を、個々の情報登録部において登録している。そのため、個々のクライアント端末は、ファックス送信装置に個々のファックス送信先の印刷出力情報について通知することができる。
【００６９】
これにより、ファックス送信装置は、個々のファックス送信先の印刷出力情報について、独自に判断する必要はなくなる。そのため、個々のファックス送信先の印刷出力情報について独自に判断する必要がない分だけ、ファックス送信装置はファックス送信に伴う処理負担を軽減することができるのである。
【図面の簡単な説明】
【００７０】
【図１】本実施の形態に係るファックスシステムを示す図である。
【図２】宛先情報および印刷出力情報を登録するためのウィンドウを示す図である。
【図３】宛先情報および印刷出力情報を登録するためのウィンドウを示す図である。
【図４】ファックス送信を行なうためのウィンドウを示す図である。
【符号の説明】
【００７１】
１  ＬＡＮ
１１  クライアント端末
１１Ｆ  ファックスドライバ
１１Ｒ  情報登録部
１２  ファックス送信装置
１２Ｒ  印刷出力情報受信部
１２Ｔ  データ変換部
２２  ファックス受信装置
２２Ｔ  データ変換部
２２Ｐ  印刷出力部
３２  ファックス受信装置
３２Ｐ  印刷出力部
４  インターネット
Ｄ１  ＰＤＬデータ
Ｄ２  ＰＤＬデータ
Ｄ３  ＴＩＦＦデータ
【図１】
2008269040.tif 000003
【図２】
2008269040.tif 000004
【図３】
2008269040.tif 000005
【図４】
2008269040.tif 000006